(57)【要約】【課題】泥棒がドリルを用いてシリンダーを、その内筒の部分から破壊するのを防止することである。また、泥棒がドリルに力を入れた場合に空転カバーが容易に空転すること。【解決手段】シリンダー錠と、このシリンダー錠に外嵌合する固定筒と、この固定筒と筒状化粧リングとの間に介在する防犯用外筒体とがそれぞれ扉の外壁面から突出するシリンダー錠の保護構造に於いて、前記シリンダー錠の先端部に、該シリンダー錠の内筒のキー挿入穴と一致可能なキー差込用口部を有する空転カバーを設け、該空転カバーは、前記固定筒の先端部に周設された環状壁部に係止されるフランジ部と、このフランジ部に連設すると共に、固定筒の前記環状壁部を形成する嵌合孔に嵌合し、かつ、前記キー差込用口部を有するカバー部とから成ること。【選択図】  図１
2005009090.tif 000002
【特許請求の範囲】
【請求項１】
シリンダー錠と、このシリンダー錠に外嵌合する固定筒と、この固定筒と筒状化粧リングとの間に介在する防犯用外筒体とがそれぞれ扉の外壁面から突出するシリンダー錠の保護構造に於いて、前記シリンダー錠の先端部に、該シリンダー錠の内筒のキー挿入穴と一致可能なキー差込用口部を有する空転カバーを設け、該空転カバーは、前記固定筒の先端部に周設された環状壁部に係止されるフランジ部と、このフランジ部に連設すると共に、固定筒の前記環状壁部を形成する嵌合孔に嵌合し、かつ、前記キー差込用口部を有するカバー部とから成るシリンダー錠の保護構造。
【請求項２】
請求項１に於いて、空転カバーのフランジ部にキー差込用口部と連通すると共に、シリンダー錠の外筒の先端面から突出する内筒用の嵌合凹所が形成されていることを特徴とするシリンダー錠の保護構造。
【請求項３】
請求項１又は請求項２に於いて、内筒の突出先端部には、フランジ部の嵌合凹所の内周壁に圧接するクリックボールを有するクリック手段が設けられていることを特徴とするシリンダー錠の保護構造。
【請求項４】
請求項１に於いて、防犯用外筒体は、内端部が扉の取り付け孔に嵌入し、少なくとも該内端部から先端部にかけて外周壁が傾斜面のすい台状に形成されていることを特徴とするシリンダー錠の保護構造。
【請求項５】
シリンダー錠と、このシリンダー錠と筒状化粧リングとの間に介在する防犯用外筒体とがそれぞれ扉の外壁面から突出するシリンダー錠の保護構造に於いて、前記シリンダー錠の先端部に、該シリンダー錠の内筒のキー挿入穴と一致可能なキー差込用口部を有する空転カバーを設け、該空転カバーは、前記防犯用外筒体の先端部に周設された環状壁部に係止されるフランジ部と、このフランジ部に連設すると共に、防犯用外筒体の前記環状壁部を形成する嵌合孔に嵌合し、かつ、前記キー差込用口部を有するカバー部とから成るシリンダー錠の保護構造。
【発明の詳細な説明】
【０００１】
【発明の属する技術分野】
本発明は、本発明は、扉面から突出したシリンダー錠の保護構造に関する。
【０００２】
【従来の技術】
普通一般にシリンダー錠は、化粧リング並びにシリンダー筒（固定筒）に内装され、扉の外壁面から他端部（突出端部）が突出するように錠箱に固定的に取り付けられている。
【０００３】
前記シリンダー錠のキー挿入穴を有する内筒（駆動体）の先端部は、合鍵を差し込む必要性から、普通一般に外部から見えるように露呈している。また、前記化粧リングは、板金加工により製作した薄板素材のすい台状の筒体で、かつ、中空部を有していることから、泥棒にとっては七つ道具の挟み部を有するプライヤー、バール、ドリルなどの工具を用いて化粧リングを変形させることが容易である。
【０００４】
後者の対策として、出願人は、化粧リングをこじあけ、外周壁が露出したシリンダー錠に大きな外力を加えることによってシリンダー錠がもぎ取られないように、化粧リング並びに固定筒を改良した錠構造を提案した（特開２００３−１２００８３公報）。
【０００５】
この公報に記載の実施例は、「固定筒４３の内周に係着し、扉内に設けた錠箱に、扉面に穿設した錠挿入穴を介して該固定筒４３の基端を固定し、前記扉面から突出した前記固定筒４３の先端側外周に、先端側を開口した略円錐状の化粧リング６７を、先端部が前記固定筒４３の先端側となるように外挿し、かつ、前記固定筒４３に外挿した付勢手段７３の付勢力によって該化粧リング６７の後端部を前記扉面に当接させた錠構造において、前記固定筒４３を、前記シリンダー錠３１を係着する内固定筒４５と、該内固定筒４５の外周に回動自在に係着する外固定筒４７との二重構造で構成し、前記シリンダー錠３１を、前記内固定筒４５を介して前記錠箱に固定するとともに、前記化粧リング６７を該外固定筒４７の外周に係着している（公報の符号をそのまま記載）。」
【０００６】
【発明が解決しようとする課題】
先に提案した錠構造は、基本的には、「基端部が錠箱に直接または間接的に取り付けられ、一方、他端部が扉の外壁面の取り付け孔から突出するシリンダー錠と、このシリンダー錠に外嵌合する固定筒と、この固定筒と筒状化粧リングとの間に介在する防犯用外筒体とから成るシリンダー錠の保護構造」であるが、前記シリンダー錠のキー挿入穴を有する内筒の先端面は外部に露呈しているため、泥棒は七つ道具の一つ、例えばコンクリートドリルと称されるドリルや超硬ドリルを用いてシリンダーを、その内筒部分から破壊する可能性があった。
【０００７】
また、防犯用外筒体は、内端部の端面から先端部の端面にかけて外周壁が水平線の筒状体（いわば中空パイプ）に形成されているので、泥棒は、特に挟み部を有するプライヤー（挟み具の類）を用い、前記直線状の外周壁を上手に捉え、シリンダー錠をもぎ取る可能性が依然に残っていた。
【０００８】
そこで、本発明の主たる目的は、泥棒が前述したようなドリルを用いてシリンダーを、その内筒の部分から破壊するのを防止することである。また、泥棒がドリルに力を入れた場合に空転カバーが安定的かつ容易に空転することである。さらに、空転カバー自体も固定筒或いは防犯用外筒体から取り外すことが容易でないことである。加えて、本発明の二次的目的は、泥棒がプライヤーを用いてシリンダー錠をもぎ取るのが非常に困難なシリンダー錠の保護構造を提案することである。
【０００９】
【課題を解決するための手段】
本発明のシリンダー錠の保護構造は、シリンダー錠と、このシリンダー錠に外嵌合する固定筒と、この固定筒と筒状化粧リングとの間に介在する防犯用外筒体とがそれぞれ扉の外壁面から突出するシリンダー錠の保護構造に於いて、前記シリンダー錠の先端部に、該シリンダー錠の内筒のキー挿入穴と一致可能なキー差込用口部を有する空転カバーを設け、該空転カバーは、前記固定筒の先端部に周設された環状壁部に係止されるフランジ部と、このフランジ部に連設すると共に、固定筒の前記環状壁部を形成する嵌合孔に嵌合し、かつ、前記キー差込用口部を有するカバー部とから成ることを特徴とする。
【００１０】
また本発明のシリンダー錠の保護構造は、シリンダー錠と、このシリンダー錠と筒状化粧リングとの間に介在する防犯用外筒体とがそれぞれ扉の外壁面から突出するシリンダー錠の保護構造に於いて、前記シリンダー錠の先端部に、該シリンダー錠の内筒のキー挿入穴と一致可能なキー差込用口部を有する空転カバーを設け、該空転カバーは、前記防犯用外筒体の先端部に周設された環状壁部に係止されるフランジ部と、このフランジ部に連設すると共に、防犯用外筒体の前記環状壁部を形成する嵌合孔に嵌合し、かつ、前記キー差込用口部を有するカバー部とから成ることを特徴とする。
【００１１】
【発明の実施の形態】
図１ないし図１１を参照に本発明の第１実施例を説明する。まず、本発明の主要部について説明する。１は扉、１ａは扉の外壁面、２は扉１の切欠部に内装された錠箱、５は基端部５ａが錠箱２に直接または間接的に取り付けられ、一方、他端部５ｂが扉１の外壁面１ａの取り付け孔６から突出するシリンダー錠、７はシリンダー錠５に外嵌合する固定筒、８．８は固定筒７に形成された貫通孔４に挿入されたガイド機能を有するピン状止め具、９は固定筒７と筒状化粧リング１０との間に介在する防犯用外筒体である。
【００１２】
なお、前記固定筒７の後端部には、固定孔を有する一対の突起部７ａ．７ａが設けられている。また、固定筒７の固定端部の内周壁には周溝が形成され、該周溝にはシリンダー錠５用の規制リング３が嵌着している。
【００１３】
図３は防犯用外筒体９の説明図である。防犯用外筒体９は、根元部分に相当する内端部９ａが扉１の取り付け孔６に扉１の肉厚に対応して嵌入し、該内端部９ａから先端部９ｂにかけて外周壁１１が傾斜面のすい台状に形成されている。
【００１４】
本実施例では、防犯用外筒体９の扉の取り付け孔６に嵌入した内端部９ａの根元部分の外周面１１ａは、内端面に至るにしたがって弧状に形成されている。これにより、工具の挟み部で防犯用外筒体９自体の外周壁１１を完全に挟むことができなくなるのみならず、扉１の取り付け孔６の縁部をこじ開け、防犯用外筒体９の根元大径部分を挟むのが極めて困難になる。
【００１５】
また、防犯用外筒体９の内周壁１２には、図１で示すように、前述した複数個のピン状止め具８．８が係合する周溝１３が形成されている。
【００１６】
したがって、前記防犯用外筒体９は、これらのピン状止め具８．８を介して固定筒７に回動自在に外嵌合していると共に、止め具８．８により固定筒７からの抜き取りも阻止（係止）されている。
【００１７】
前述した筒状化粧リング１０は、中実でも良いが、本実施例では、図１で示すように、断面中空状に形成されている。１５は防犯用外筒体９の先端部９ｂの外周壁１１と化粧リング１０との間に内装され、かつ、化粧リング１０を扉１の外壁面１ａへと押圧する付勢バネである。１６は先端部化粧カバーで、この先端部化粧カバー１６と固定筒７とは、複数個の固定ピン１７．１７によって固定されている。
【００１８】
次にシリンダー錠５の構造について簡単に説明する。シリンダー錠５は、前述した後端部の突起部７ａ．７ａを介して錠箱２に固定される。シリンダー錠５は、図２で示すように内筒２０と、該内筒２０に外嵌合する外筒２１とから成る。
【００１９】
内筒２０は合鍵用のキー挿入穴２２を有する駆動体（駆動軸）である。したがって、駆動体としての内筒２０の後端部２０ａには、錠箱２の機構部に係合する係合部材２３が設けられている。この係合部材２３は外筒２１の後端面２１ａから突出している。
【００２０】
一方、本実施例の内筒２０の先端部２０ｂは外筒２１の先端面２１ｂから突出している。シリンダー錠５には、その内筒２０と外筒２１との間に亘って複数の障害子（ピンタンブラー）が配設されている。特に図示しないが、障害子のシアーラインは、本発明の主要部である空転カバー２５のキー差込用口部２６及び内筒２０のキー挿入穴２２に合鍵を挿入すると、外筒２１と内筒２０との境界上に揃う。
【００２１】
２５はシリンダー錠５の先端部に設けられ、かつ、該シリンダー錠の内筒２０のキー挿入穴２２と一致可能なキー差込用口部２６を有する空転カバーである。該空転カバー２５は、前述した固定筒７の先端部７ｂに周設された環状壁部２７に係止されるフランジ部２８と、このフランジ部２８に突出して連設すると共に、固定筒７の前記環状壁部２７を形成する嵌合孔２９に嵌合し、かつ、前記キー差込用口部２６を有する短円柱状カバー部３０とから成る。
【００２２】
短円柱状カバー部３０は円盤状フランジ部２８よりも小径である。また、キー差込用口部２２は合鍵のブレードが入る程度の大きさであり、例えば小さな長四角状に形成されている。空転カバー２５は、図２の矢印Ａで示すように固定筒７の後端部開口から挿入され、環状壁部２７にフランジ部２８が係止されるようにその短円柱状カバー部３０が固定筒の嵌合孔２９に嵌入する。
【００２３】
したがって、空転カバー２５は、固定筒７の先端部７ｂから前面が露呈するものの、該固定筒７の先端部７ｂにその余の部分（カバー部３０の外周壁及びフランジ部２８の外周壁）が被嵌された格好となる。
【００２４】
さらに、本実施例の空転カバー２５は、安定的かつスムースに回転することができるようにシリンダー錠５の内筒２０の突出先端部２０ｂに嵌合している。すなわち、空転カバー２５は、そのフランジ部２８にキー差込用口部２６と連通すると共に、シリンダー錠５の外筒２１の先端面２１ｂから突出する内筒先端部２１ｂ用の嵌合凹所３１が形成されている。
【００２５】
ところで、空転カバー２５は、コンクリートドリルと称されドリルや超硬ドリルに対抗することができるように、炭素鋼を焼き入れ処理して成形されている。上記構成に於いて、図１０で示すように、泥棒はドリルＴを用いてシリンダー錠５の内筒２０の先端部分を破壊しようとしても、空転カバー２５が存在するので、まず該空転カバー２５を破壊する必要がある、そこで、今仮に、図１０で示すように泥棒がドリルＴを空転カバー２５の前面に押し当てると、空転カバー２５はフランジ部２８を介して矢印で示すように左右いずれの方向にでも自由に空転するので、簡単には内筒２２のキー挿入穴２２を攻撃することができない。
【００２６】
一方、図１１で示すように、泥棒が工具（プライヤー）Ｔ１の先端部ａ．ａを利用して化粧リング１０を除けながら、あるいは破壊して防犯用外筒体９の外周壁１１を捉えようとしても、工具Ｔ１の挟み部ａ．ａは、前記外周壁１１を完全に捉えることができないから、容易にシリンダー錠５を「もぎ取る」ことができない。
【００２７】
特に、防犯用外筒体９の扉１の取り付け孔６に嵌入した内端部９ａの根元部分の外周面１１が、内端面に至るにしたがって弧状に形成されている場合には、工具Ｔ１の挟み部ａ．ａは、防犯用外筒体９の内端面を掴むことができないので、シリンダー錠５を「より一層もぎ取る」ことができないという利点がある。
【００２８】
この効果は、防犯用外筒体９のように内周壁１２に周溝１３を有し、固定筒７に対して回動自在な実施例の場合には、防犯用外筒体９の滑り易さ、捉えがたさ等と相まって、防犯用外筒体９自体が回転する故、工具Ｔ１でシリンダー錠５の外周壁１１を捉えることがより極めて一層困難となり、防犯効果は絶大である。
【００２９】
次に図１２ないし図１４を参照に本発明の第２実施例を説明する。この第２実施例は前記第１実施例に付加的要件を限定（加味）したものである。したがって、同一の構成・機能には、同一の符号を付し、重複説明を割愛する。
【００３０】
第２実施例に於いて、前記第１実施例に付加した要件は、空転カバー２５の「クリック感を得るために」、内筒２０の突出先端部２０ｂには、空転カバー２５のフランジ部２８の嵌合凹所３１の内周壁３１ａに圧接するクリックボール３３及び該クリックボールを圧接方向へ付勢するクリツクバネ３４を有するクリック手段３５が設けられている。クリック手段３５は、本実施例ではフランジ部２８の上下に一対設けられている。なお、内筒２０の突出先端部２０ｂには、半径方向にクリック手段３５用の収納穴３６．３６が形成されており、またフランジ部２８の嵌合凹所３１の内周壁３１ａには、所定位置にてクリックボール３３が係合する小係合溝３７が形成されている。
【００３１】
【実施例】
ここでは第１実施例の設計変更例（これを説明の便宜上「第３実施例」とする。）を記載する。第１実施例の防犯用外筒体９は、固定筒７と外筒体９とをそれぞれ別体に形成し、止め具８．８を介して両部材を一体的に係着しているが、コスト削減の観点から、両部材７．９を、炭素鋼を焼き入れ処理して一体に成形してもよい。
【００３２】
すなわち、図１５は、基端部５ａが錠箱２に取り付けられ、一方、他端部５ｂが扉１の外壁面１ａの取り付け孔６から突出するシリンダー錠５と、このシリンダー錠５に固定的に外嵌合するシリンダー錠保護筒９Ａ（第１実施例の防犯用外筒体９と固定筒７とが予め金属で一体成形した一つの防犯用外筒体）とから成るシリンダー錠の保護構造であり、前記シリンダー錠保護筒９Ａは、前記取り付け基端部５ａ寄りの内端部９ａが前記取り付け孔６に嵌入し、該内端部９ａから先端部９ｂにかけて外周壁１１が傾斜面のすい台状に形成されている。
【００３３】
したがって、この第３実施例は、シリンダー錠５と、このシリンダー錠と筒状化粧リング１０との間に介在する防犯用外筒体９Ａとがそれぞれ扉１の外壁面１ａから突出するシリンダー錠の保護構造であって、前記シリンダー錠５の先端部（他端部）５ｂに、該シリンダー錠の内筒２０のキー挿入穴２２と一致可能なキー差込用口部２６を有する空転カバー２５を設け、該空転カバー２５は、前記防犯用外筒体９Ａの先端部９ｂに周設された環状壁部２７Ａに係止されるフランジ部２８と、このフランジ部２８に連設すると共に、防犯用外筒体の前記環状壁部２７Ａを形成する嵌合孔２９Ａに嵌合し、かつ、前記キー差込用口部２６を有するカバー部３０とから成る。このように構成しても、第１実施例と同一の作用効果を得ることができる。
【００３４】
【発明の効果】
以上の説明から明らかなように、本発明にあっては、シリンダー錠の先端部に、該シリンダー錠の内筒のキー挿入穴と一致可能なキー差込用口部を有する空転カバーを設け、該空転カバーは、前記固定筒の先端部に周設された環状壁部に係止されるフランジ部と、このフランジ部に連設すると共に、固定筒の前記環状壁部を形成する嵌合孔に嵌合し、かつ、前記キー差込用口部を有するカバー部とから成るので、泥棒がドリルを用いてシリンダーを、その内筒の部分から破壊するのを防止することができる。また、空転カバーのフランジ部にキー差込用口部と連通すると共に、シリンダー錠の外筒の先端面から突出する内筒用の嵌合凹所が形成されているので、泥棒がドリルに力を入れた場合に空転カバーが内筒の突出先端部に案内されて安定的かつ容易に空転する。さらに、シリンダー錠の内筒の突出先端部に、フランジ部の嵌合凹所の内周壁に圧接するクリックボールを有するクリック手段が設けられている実施例の場合には、合鍵を挿入する際に、クリック感に基づき空転カバーのキー差込用口部をシリンダー錠の内筒のキー挿入穴に合わせることができる。加えて、防犯用外筒体が、内端部が扉の取り付け孔に嵌入し、少なくとも該内端部から先端部にかけて外周壁が傾斜面のすい台状に形成されている実施例の場合には、泥棒がプライヤーを用いてシリンダー錠をもぎ取るのが非常に困難である。
【図面の簡単な説明】
図１乃至図１１は本発明の第１実施例を示す各説明図。図１２乃至図１４は本発明の第２実施例を示す各説明図。図１５は第１実施例の設計変更例を示す概略断面説明図。
【図１】第１実施例の実施形態を示す概略断面説明図。
【図２】シリンダー錠、固定筒、及び空転カバーとの関係を示す説明図。
【図３】防犯用外筒体の一例（第１実施例）を示す斜視図。
【図４】固定筒と空転カバーとの関係を裏側から見た説明図。
【図５】固定筒と空転カバーとの関係を表側から見た一部破断の説明図。
【図６】空転カバーとシリンダー錠との関係を示す説明図。
【図７】空転カバーの正面図。
【図８】図７の８−８線断面図。
【図９】図７の９−９線断面図。
【図１０】工具Ｔでシリンダー錠を破壊しようとする場合の説明図。
【図１１】工具Ｔ１で防犯用外筒体の外周壁を捉えようとした説明図。
【図１２】第２実施例の実施形態を示す概略断面説明図。
【図１３】空転カバーとシリンダー錠との関係を示す説明図。
【図１４】クリック手段の概略説明図。
【図１５】第１実施例の設計変更例を示す概略断面説明図。
【符号の説明】
１…扉、１ａ…外壁面、２…錠箱、３…規制リング、５…シリンダー錠、６…取り付け孔、７…固定筒、７ａ…突起部、７ｂ…先端部、８…止め具、９．９Ａ…防犯用外筒体、７ａ．９ａ…内端部、７ｂ．９ｂ…先端部、１０…筒状化粧リング、１１…外周壁、１１ａ…根元部分の外壁面、１２…内周壁、１３…周溝、１５…付勢バネ、１６…先端部化粧カバー、２０…内筒、２０ａ…後端部、２０ｂ…先端部、２１…外筒、２１ａ…後端面、２１ｂ…先端面、２２…キー挿入穴、２５…空転カバー、２６…キー差込用口部、２７…環状壁部、２８…フランジ部、２９…嵌合孔、３０…カバー部、３１…嵌合凹所、３１ａ…内周壁、３５…クリック手段、Ｔ．Ｔ１…工具、ａ…挟み部。
【図１】
2005009090.tif 000003
【図２】
2005009090.tif 000004
【図３】
2005009090.tif 000005
【図４】
2005009090.tif 000006
【図５】
2005009090.tif 000007
【図６】
2005009090.tif 000008
【図７】
2005009090.tif 000009
【図８】
2005009090.tif 000010
【図９】
2005009090.tif 000011
【図１０】
2005009090.tif 000012
【図１１】
2005009090.tif 000013
【図１２】
2005009090.tif 000014
【図１３】
2005009090.tif 000015
【図１４】
2005009090.tif 000016
【図１５】
2005009090.tif 000017